(57)【要約】【課題】飼料ホッパー飼料がブリッジ現象を起生することなく、飼料供給装置によって給餌パイプライン内へ円滑に飼料を落下、供給することができる飼料供給装置を提供する。【解決手段】飼料供給装置１は、飼料ホッパー１０４の下端部に設置され、飼料ホッパー１０４の下面に固定される飼料供給箱体２と、この飼料供給箱体２内で上下動可能に立設された回転支軸４と、この回転支軸４の上端部に固定されるとともに、飼料ホッパー１０４内の下端開口付近に回転自在に配設されるブリッジ防止部材３とから構成される。ブリッジ防止部材３は、円板状上面部３ａの周辺部に逆円錐状側面部３ｂを接続して成り、円板状上面部３ａには適宜間隔で小径の飼料落下孔８を穿設するとともに、逆円錐状側面部３ｂは飼料ホッパー１０４の内壁面と略平行に配置される。【選択図】              図１
2004208556.tif 000002
【特許請求の範囲】
【請求項１】
飼料ホッパーの下端部に設置される飼料供給装置であって、前記飼料ホッパーの下面に固定される飼料供給箱体と、この飼料供給箱体内で上下動可能に立設された回転支軸と、この回転支軸の上端部に固定されるとともに、前記飼料ホッパー内の下端開口付近に回転自在に配設されるブリッジ防止部材とから構成され、前記ブリッジ防止部材は、円板状上面部の周辺部に逆円錐状側面部を接続して成り、円板状上面部には適宜間隔で小径の飼料落下孔を穿設するとともに、逆円錐状側面部は前記飼料ホッパーの内壁面と略平行に配置されることを特徴とする飼料供給装置。
【請求項２】
前記飼料供給箱体の下面に駆動モーターを固定し、飼料供給箱体内にその駆動軸を突出させ、駆動モーターの駆動軸の中間部に駆動スプロケットを固定し、この駆動スプロケットにディスクケーブルを掛け回すとともに、駆動軸の先端部に前記回転支軸の下端部を上下動可能に連結したことを特徴とする請求項１に記載の飼料供給装置。
【請求項３】
前記ブリッジ防止部材の円板状上面部に穿設した飼料落下孔と対応する位置に飼料落下孔を穿設した排出量調整板を前記円板状上面部に載置し、排出量調整板を適宜角度回転させて、円板状上面部に穿設した飼料落下孔の開放程度を調整することによって、前記飼料ホッパーから前記飼料供給箱体内へ落下する飼料の排出量を調整するようにしたことを特徴とする請求項１又は２に記載の飼料供給装置。
【請求項４】
前記ブリッジ防止部材の逆円錐状側面部の高さを変更することによって、前記飼料ホッパーから前記飼料供給箱体内へ落下する飼料の排出量を調整するようにしたことを特徴とする請求項１乃至３に記載の飼料供給装置。
【請求項５】
逆円錐状側面部と中央部に飼料落下窓を形成した基板部とから成る装置本体と仕切板とから構成される設置補助装置を設け、前記飼料ホッパーの下端部を切除し、その切除部分近傍の壁面に前記装置本体の逆円錐状側面部を固定して、前記設置補助装置を装着し、前記装置本体の基板部に前記飼料供給箱体を固定して、前記飼料ホッパーの下端部に設置することを特徴とする請求項１乃至４に記載の飼料供給装置。
【発明の詳細な説明】
【０００１】
【発明の属する技術分野】
本発明は、家畜用飼料を給餌パイプライン内へ円滑に供給できるように改良した飼料供給装置に関する。
【０００２】
【従来の技術】
従来、図７に示すように、飼料ホッパー１０４に貯蔵された飼料Ｓを飼料供給装置１０５によって給餌パイプライン１０３内へ供給し、給餌パイプライン１０３に内蔵されたディスクケーブル１０２をケーブル駆動装置１０６によって駆動して、飼料Ｓを給餌パイプライン１０３を介して多数の給餌装置１０７へと連続的に搬送する飼料搬送装置１０１が知られている。
ここで、ディスクケーブル１０２は、図８に示すように、可撓性のワイヤー１０２ａにディスク１０２ｂを所定間隔で固着したものである。
【０００３】
飼料供給装置１０５としては、図９に示すように、飼料ホッパー１０４の内壁部１０４ａにアーム１０８の一端部を揺動自在に支持し、アーム１０８の他端部にローラー１０９を連結し、ローラー１０９を給餌パイプライン１０３の飼料落下口１０３ａに配設するとともに、アーム１０８の上面にスプリング１１０を配設したものが知られている。
【０００４】
上記飼料供給装置１０５によれば、ローラー１０９が給餌パイプライン１０３内を矢印方向へ移動するディスクケーブル１０２のディスク１０２ｂに係合し、ローラー１０９が矢印方向に揺動することによって、アーム１０８の上面に配設したスプリング１１０が上下方向に伸縮するので、飼料ホッパー１０４内の飼料Ｓは攪拌され、飼料落下口１０３ａから給餌パイプライン１０３内へと円滑に落下、供給される。
【０００５】
ケーブル駆動装置１０６としては、図１０に示すように、筐体１１１内に駆動スプロケット１１２及び遊動プーリー１１３を配設し、駆動スプロケット１１２及び遊動プーリー１１３にディスクケーブル１０２を掛け回すとともに、常時引張バネ１１４により支持部材１１５を介して遊動プーリー１１３を引張り、ディスクケーブル１０２に張力を付与するものが知られている。
【０００６】
上記ケーブル駆動装置１０６によれば、常時引張バネ１１４によりディスクケーブル１０２に張力を付与しているので、駆動モーター１１６により駆動スプロケット１１２を駆動することによって、ディスクケーブル１０２を確実に走行することができる。
【０００７】
【発明が解決しようとする課題】
しかし、飼料ホッパー１０４の下半部は逆円錐状であり、下端部は小径となっているため、下端部ではどうしても飼料Ｓが自重によって凝集し易く、いわゆるブリッジ現象を起生する。上記飼料供給装置１０５では、特にスプリング１１０の周囲に空洞Ｂが発生し易く、空洞Ｂが発生するとスプリング１１０による攪拌効果は消失し、給餌パイプライン１０３内へ円滑に飼料Ｓを落下、供給することができなくなる、という問題があった。
【０００８】
又、ケーブル駆動装置１０６は、駆動スプロケット１１２、遊動プーリー１１３、引張バネ１１４、支持部材１１５等を配設したものであり、部品点数も多い上、組立作業も煩雑であるため、飼料搬送装置１０１全体を高額とし、設置作業にも労力を要した。
【０００９】
さらに、飼料ホッパー１０４の下半部は逆円錐状のものが殆どであるが、下端部の内径については製造メーカーによって種々寸法が異なる。よって、それに対応させて、種々形態及び寸法の飼料供給装置１０５を製造しなければならず、どうしても特注品とならざるを得ず、製造コストも高くならざるを得なかった。
【００１０】
本発明は、かかる従来の問題点に鑑みて為されたものであり、その目的とするところは、飼料ホッパー１０４内で飼料Ｓがブリッジ現象を起生することなく、飼料供給装置によって給餌パイプライン１０３内へ円滑に飼料Ｓを落下、供給することができ、ケーブル駆動装置の部品点数を削減し、組立作業も簡単として、飼料搬送装置１０１全体の価格を低減するとともに、設置作業に要する労力も軽減することができ、種々寸法の飼料ホッパー１０４に対応できて、飼料供給装置を量産品として製造することができ、製造コストを低減することができる飼料供給装置を提供することにある。
【００１１】
【課題を解決するための手段】
上記目的を達成するため、本発明の飼料供給装置は、飼料ホッパーの下端部に設置される飼料供給装置であって、前記飼料ホッパーの下面に固定される飼料供給箱体と、この飼料供給箱体内で上下動可能に立設された回転支軸と、この回転支軸の上端部に固定されるとともに、前記飼料ホッパー内の下端開口付近に回転自在に配設されるブリッジ防止部材とから構成され、前記ブリッジ防止部材は、円板状上面部の周辺部に逆円錐状側面部を接続して成り、円板状上面部には適宜間隔で小径の飼料落下孔を穿設するとともに、逆円錐状側面部は前記飼料ホッパーの内壁面と略平行に配置されることを特徴とする。
【００１２】
さらに、前記飼料供給箱体の下面に駆動モーターを固定し、飼料供給箱体内にその駆動軸を突出させ、駆動モーターの駆動軸の中間部に駆動スプロケットを固定し、この駆動スプロケットにディスクケーブルを掛け回すとともに、駆動軸の先端部に前記回転支軸の下端部を上下動可能に連結してもよい。
【００１３】
ここで、前記ブリッジ防止部材の円板状上面部に穿設した飼料落下孔と対応する位置に飼料落下孔を穿設した排出量調整板を前記円板状上面部に載置し、排出量調整板を適宜角度回転させて、円板状上面部に穿設した飼料落下孔の開放程度を調整することによって、又は、前記ブリッジ防止部材の逆円錐状側面部の高さを変更することによって、前記飼料ホッパーから前記飼料供給箱体内へ落下する飼料の排出量を調整することができる。
【００１４】
又、逆円錐状側面部と中央部に飼料落下窓を形成した基板部とから成る装置本体と仕切板とから構成される設置補助装置を設け、前記飼料ホッパーの下端部を切除し、その切除部分近傍の壁面に前記装置本体の逆円錐状側面部を固定して、前記設置補助装置を装着し、前記装置本体の基板部に前記飼料供給箱体を固定して、前記飼料ホッパーの下端部に設置するようにしてもよい。
【００１５】
【発明の実施の形態】
以下、本発明の飼料供給装置の好適な実施形態について、図面を参照して詳細に説明する。
【００１６】
本発明の飼料供給装置１は、図１に示すように、飼料ホッパー１０４の下端部に設置されるものであって、飼料供給箱体２、ブリッジ防止部材３、回転支軸４、駆動スプロケット５、駆動モーター６等から構成される。
【００１７】
飼料供給箱体２の上面鍔部２ａを飼料ホッパー１０４の下面鍔部１０４ｂにボルト、ナットにより締結することによって、飼料ホッパー１０４の下端部に飼料供給箱体２を設置してある。又、飼料供給箱体２の下面２ｂには駆動モーター６を固定して、飼料供給箱体２内に駆動軸６ａを突出させてある。
【００１８】
駆動モーター６の駆動軸６ａの中間部には駆動スプロケット５を固定し、この駆動スプロケット５にディスクケーブル１０２を掛け回してある。又、駆動軸６ａの先端部には連結ピン７を介して回転支軸４の下端部を上下動可能に連結してあり、回転支軸４の上端部にはブリッジ防止部材３を固定してある。
【００１９】
ブリッジ防止部材３は、図１乃至図３に示すように、円板状上面部３ａの周辺部に逆円錐状側面部３ｂを接続したものであり、飼料ホッパー１０４内の下端開口付近に配設してある。円板状上面部３ａには適宜間隔で短径が小径である長孔状の飼料落下孔８を穿設してあり、逆円錐状側面部３ｂは、飼料ホッパー１０４の内壁面と略平行としてある。
【００２０】
円板状上面部３ａの上面には円板状の排出量調整板９を載置してあり、排出量調整板９には円板状上面部３ａの飼料落下孔８と対応する位置に略同一形状及び寸法の飼料落下孔１０を穿設してある。又、円板状上面部３ａの適宜位置にネジ軸１１，１１を立設してあり、排出量調整板９の対応位置には長孔１２，１２を穿設してある。
【００２１】
よって、図３（Ａ）に示すように、円板状上面部３ａの上面に排出量調整板９を載置し、長孔１２，１２にネジ軸１１，１１を挿通させ、排出量調整板９を適宜角度回転させ、図３（Ｂ）に示すように、ネジ軸１１，１１にナット１３，１３を螺合させて、排出量調整板９を所定位置に固定すれば、飼料落下孔８の開放程度を変更することができ、飼料Ｓの排出量を調整することができる。
【００２２】
飼料供給装置１は、以上のような構成であるので、駆動モーター６を駆動させれば、駆動軸６ａが回転し、駆動スプロケット５が回転することによって、ディスクケーブル１０２を走行させることができる。
【００２３】
このように、本発明の飼料供給装置１は、ケーブル駆動装置を一体としたものであり、ケーブル駆動装置に相当する機構部分は、駆動モーター６以外には駆動スプロケット５のみを構成部品とするから、部品点数も少なく、組立作業も容易であり、飼料搬送装置１０１全体を低額とし、設置作業にも労力を要しない。
【００２４】
駆動軸６ａが回転すれば、駆動軸６ａと連結された回転支軸４が回転し、ブリッジ防止部材３も回転する。
これによって、ブリッジ防止部材３の円板状上面部３ａ付近の飼料Ｓは攪拌されて、飼料ホッパー１０４の中央部にいわゆる巣を形成させず、飼料Ｓは、排出量調整板９に穿設した飼料落下孔１０、円板状上面部３ａに穿設した飼料落下孔８を通過して飼料供給箱体２内へと落下していく。
【００２５】
逆円錐状側面部３ｂは飼料ホッパー１０４の内壁面と略平行としてあるが、これらの間には特に所定の間隙を画成していない。
しかし、逆円錐状側面部３ｂの外径及び飼料ホッパー１０４の内壁面の内径は高精度に製造されているものではないから、ブリッジ防止部材３が回転すれば、先ず、比較的に間隙の広い部分に飼料Ｓが流動し、侵入していく。
【００２６】
そして、ブリッジ防止部材３には回転による遠心力が付与され、回転支軸４が微妙に上下移動するとともに揺動するために、ブリッジ防止部材３が回転している際には、逆円錐状側面部３ｂと飼料ホッパー１０４の内壁面との間には、自動的に狭い所定間隙Ｄが画成される。
このように、逆円錐状側面部３ｂと飼料ホッパー１０４の内壁面との間には狭い間隙Ｄしか画成されないので、ブリッジが起生することもなく、飼料Ｓは間隙Ｄから飼料供給箱体２内へと円滑に落下していく。
【００２７】
尚、飼料ホッパー１０４内に飼料Ｓを補充する際、雨水等が侵入して飼料Ｓが凝集して塊状になる場合がある。又、飼料ホッパー１０４内に小石等が侵入したり、冬期にあっては、飼料ホッパー１０４内に作業者の手袋、マスク等が落下して侵入する場合もある。
しかし、上記のようにして、塊状飼料、異物が混入していた場合にも、従来の如く、飼料落下口が異物によって閉塞されることはない。すなわち、殆どの塊状飼料、異物はブリッジ防止部材３の上面に蓄積され、又、ブリッジ防止部材３が回転しているために、塊状飼料、異物によって飼料排出量は多少減少するとしても、間隙Ｄが完全に閉塞されることはなく、あたかも篩のような異物除去機能を発揮して、飼料Ｓを停止させることなく円滑に排出することができる。
【００２８】
そして、飼料落下孔８から及び間隙Ｄから飼料供給箱体２内へ落下してきた飼料Ｓは、ディスクケーブル１０２によって給餌パイプライン１０３内で搬送されていく。
【００２９】
尚、飼料供給箱体２内へ落下する飼料Ｓの排出量は、逆円錐状側面部３ｂの高さを変更することによっても調整することができる。すなわち、逆円錐状側面部３ｂの高さを高くすれば、飼料ａの排出量は多くなり、逆円錐状側面部３ｂの高さを低くすれば、飼料Ｓの排出量は少なくなる。
【００３０】
上記の如き飼料供給装置１に代えて、図４に示すような飼料供給装置３１を構成してもよい。この飼料供給装置３１は、飼料供給箱体３２、ブリッジ防止部材３３、回転支軸３４、連結支軸３５、継手３６、支軸駆動装置３７、駆動ベルト３８、プーリー３９，４０、駆動モーター４１等から構成される。
【００３１】
飼料供給箱体３２の上面鍔部３２ａを飼料ホッパー１０４の下面鍔部１０４ｂにボルト、ナットにより締結することによって、飼料ホッパー１０４の下端部に飼料供給箱体３２を設置してある。又、飼料供給箱体３２の下半部は傾斜面３２ｂとしてあり、下端部にはワイヤーケーブル１０２が走行する案内管路３２ｃを形成してある。
【００３２】
支軸駆動装置３７の駆動軸３７ａと連結支軸３５とは継手３６を介して連結してある。又、連結支軸３５の上端部には連結ピン４２を介して回転支軸３４の下端部を上下動可能に連結してあり、回転支軸３４の上端部にはブリッジ防止部材３３を固定してある。
【００３３】
ブリッジ防止部材３３の構成、形状等は、上記ブリッジ防止部材３と同様であり、飼料ホッパー１０２内の下端開口付近に配設してある。
又、ブリッジ防止部材３３に載置する排出量調整板４３の構成、形状等も、上記排出量調整板９と同様である。
【００３４】
飼料供給装置３１は、以上のような構成であるので、駆動モーター４１を駆動させ、支軸駆動装置３７を作動させれば、駆動軸３７ａが回転し、連結支軸３５、回転支軸３４が回転し、ブリッジ防止部材３３も回転する。
これによって、ブリッジ防止部材３３の円板状上面部３ａ付近の飼料Ｓは攪拌されて、飼料ホッパー１０４の中央部にいわゆる巣を形成させず、飼料Ｓは排出量調整板４３に穿設した飼料落下孔１０、円板状上面部３３ａに穿設した飼料落下孔８を通過して飼料供給箱体３２内へと落下していく。
【００３５】
又、上記と同様にして、ブリッジ防止部材３３には回転による遠心力が付与され、回転支軸３４が微妙に上下移動するとともに揺動するために、ブリッジ防止部材３３が回転している際には、逆円錐状側面部３３ｂと飼料ホッパー１０４の内壁面との間には、自動的に狭い所定間隙Ｄが画成される。
このように、逆円錐状側面部３３ｂと飼料ホッパー１０４の内壁面との間には狭い間隙Ｄしか画成されないので、ブリッジが起生することもなく、飼料Ｓは間隙Ｄから飼料供給箱体２内へと円滑に落下していく。
【００３６】
そして、飼料落下孔８から及び間隙Ｄから飼料供給箱体３２内へ落下してきた飼料Ｓは、ディスクケーブル１０２によって給餌パイプライン１０３内で搬送されていく。
【００３７】
本発明の飼料供給装置１，３１を飼料ホッパー１０４に設置する際、図５に示すような設置補助装置５１を使用してもよい。
【００３８】
設置補助装置５１は、逆円錐状側面部５３と基板部５４とから成る装置本体５２と仕切板５５とから構成される。
逆円錐状側面部５３には適宜間隔で固定用挿通孔５３ａを穿設してある。又、基板部５４の中央部には飼料落下窓５４ａを形成し、両側下端部には仕切板案内溝５４ｂを形成してある。
【００３９】
飼料供給装置１，３１を飼料ホッパー１０４に設置する場合には、先ず、図６（Ａ）に示すように、設置補助装置５１の逆円錐状側面部５３と略同一径である個所で、飼料ホッパー１０４の下端部を切除する。そして、切除部分近傍の壁面に、逆円錐状側面部５３の固定用挿通孔５３ａに対応させて固定用挿通孔１０４ｃを穿設する。
【００４０】
次に、図６（Ｂ）に示すように、飼料ホッパー１０４の切除部分近傍の壁面に逆円錐状側面部５３を当接させ、ボルト，ナットにより設置補助装置５１を装着する。そして、図６（Ｃ）に示すように、基板部５４に飼料供給箱体２，３２の上面鍔部２ａ，３２ａをボルト、ナットにより固定すれば、飼料ホッパー１０４の下端部に飼料供給装置１，３１を設置することができる。
【００４１】
このように、設置補助装置５１を使用すれば、飼料ホッパー１０４の下端部の内径が種々寸法であっても、下端部を適宜個所で切除すれば、どの飼料ホッパー１０４にも飼料供給装置１，３１を設置することができる。よって、飼料ホッパー１０４に対応させて、種々形態及び寸法の飼料供給装置１，３１を製造する必要はなくなり、同一形態及び寸法の量産品とすることができて、製造コストを大幅に低減することができる。
【図面の簡単な説明】
【図１】本発明の飼料供給装置の一実施例の縦断面図である。
【図２】図１の飼料供給装置の要部斜視図である。
【図３】（Ａ）は排出量調整板をブリッジ防止部材から離反させた状態を示す斜視図、（Ｂ）は排出量調整板をブリッジ防止部材に載置した状態を示す平面図である。
【図４】本発明の飼料供給装置の他実施例の縦断面図である。
【図５】設置補助装置の斜視図である。
【図６】本発明の飼料供給装置を飼料ホッパーに設置する方法を示す説明図である。
【図７】従来の飼料搬送装置の斜視図である。
【図８】ディスクケーブルの一部を示す正面図である。
【図９】従来の飼料供給装置の縦断面図である。
【図１０】従来のケーブル駆動装置の（Ａ）は側面断面図、（Ｂ）は正面断面図である。
【符号の説明】
１，３１  飼料供給装置
２，３２  飼料供給箱体
３，３３  ブリッジ防止部材
３ａ  円板状上面部
３ｂ  逆円錐状側面部
４，３４  回転支軸
５  駆動スプロケット
６，４１  駆動モーター
６ａ  駆動軸
８  飼料落下孔
５１  設置補助装置
５２  装置本体
５３  逆円錐状側面部
５４  基板部
５４ａ  飼料落下窓
５５  仕切板
Ｓ  飼料
１０２  ディスクケーブル
１０４  飼料ホッパー
【図１】
2004208556.tif 000003
【図２】
2004208556.tif 000004
【図３】
2004208556.tif 000005
【図４】
2004208556.tif 000006
【図５】
2004208556.tif 000007
【図６】
2004208556.tif 000008
【図７】
2004208556.tif 000009
【図８】
2004208556.tif 000010
【図９】
2004208556.tif 000011
【図１０】
2004208556.tif 000012